(57)【要約】【課題】  髪を自然にかつ容易に伸ばしたりカールをつけることの可能な，ヘアアイロンを提供する。【解決手段】  一端がヒンジ部５により結合され，互いに接触するように構成され，電気により加熱される加熱部８，９を内側にそれぞれ具備する上部ハンドグリップ１および下部ハンドグリップ２と，各ハンドグリップ１，２の接触面に具備され加熱部８，９により加熱され発熱する上部発熱板３および下部発熱板４とを有する。上部発熱板３および下部発熱板４の表面に半球形の凹凸部１１，１２がそれぞれ離隔して配列して形成される。このとき，凹凸部１１，１２は，上部発熱板３および下部発熱板４が互いに接面するとき，凹部１１ａ，１２ａと凸部１１ｂ，１２ｂとが咬合するように配列され，各発熱板３，４の両端は，直線形に形成される。【選択図】    図１
2006006909.tif 000002
【特許請求の範囲】
【請求項１】
一端がヒンジ部により結合され，互いに接触するように構成され，電気により加熱される加熱部が内側にそれぞれ具備されている上部ハンドグリップおよび下部ハンドグリップと，前記上部ハンドグリップおよび前記下部ハンドグリップの接触面にそれぞれ具備され，前記加熱部により加熱され発熱する上部発熱板および下部発熱板とを有して構成されるヘアアイロンにおいて：
前記上部発熱板および前記下部発熱板の表面には，複数の半球形の凹部および凸部がそれぞれ配列して形成され；
前記凹部および前記凸部は，前記上部発熱板および前記下部発熱板が互いに接面するとき，前記凹部と前記凸部とが互いに咬合するように配列され；
前記上部発熱板および前記下部発熱板の両端は，直線形状に形成されることを特徴とする，ヘアアイロン。
【請求項２】
前記凹部と前記凸部とは，列を成して形成され，
前記凹部の列と前記凸部の列とは，交互に形成され，
前記凹部は，前記凸部と前記凸部との間に位置するように配列されることを特徴とする，請求項１に記載のヘアアイロン。
【発明の詳細な説明】
【技術分野】
【０００１】
本発明は，ヘアアイロンに関し，より詳しくは，髪に触れる発熱板の表面に複数の凹凸が形成される電気ヘアアイロンに関する。
【背景技術】
【０００２】
一般的に，ヘアアイロンは，きれいな髪型を作るため昔から使用されてきた。昔は，様々な形を有する金属製品をそれぞれ作り火で熱して使用したが，最近では，電気により発熱される電気ヘアアイロンが使用されている。
【０００３】
最近利用されている電気ヘアアイロンの例として，特許文献１に記載の電気ヘアアイロンがある。
【０００４】
特許文献１に記載されている電気ヘアアイロンは，外部からの電源により熱を発生する発熱板を具備し，発熱板は上部発熱板と下部発熱板とで構成される。上部発熱板と下部発熱板とが設定された温度に至った状態で，その間に髪を位置させると，各発熱板から発熱される熱により，髪の状態がまっすぐに伸ばされたり，カールされたりするようにになる。
【０００５】
【特許文献１】大韓民国実用新案登録第３４８０１４号
【発明の開示】
【発明が解決しようとする課題】
【０００６】
しかし，前述のような構成を有する従来の電気ヘアアイロンの場合，髪と接する面，すなわち，上部発熱板の表面と下部発熱板の表面とが平面に形成されている。このため，髪をまっすぐに伸ばすには，使用者が強い力で引かなければならなかった。
【０００７】
したがって，髪をまっすぐに伸ばすために無理に力をかけてしまい，毛髪が抜ける等の問題があった。さらに，髪を容易にまっすぐに伸ばすことができず，繰り返し作業を行うため，熱により髪が傷み，長時間の作業により使用者の手首が疲労する等の問題があった。
【０００８】
そこで，本発明はこのような問題に鑑みてなされたもので，その目的は，髪を自然にかつ容易に伸ばしたり，カールを作ることができる，新規かつ改良されたヘアアイロンを提供することにある。
【課題を解決するための手段】
【０００９】
上記課題を解決するために，本発明のある観点によれば，一端がヒンジ部により結合され接触するように構成され，電気により加熱される加熱部が内側にそれぞれ具備される上部ハンドグリップおよび下部ハンドグリップと，各ハンドグリップの接触面にそれぞれ具備され加熱部により加熱され発熱する上部発熱板および下部発熱板とを有して構成され，上部発熱板および下部発熱板の表面に，半球形の凹部および凸部がそれぞれ離隔されて配列して形成されるヘアアイロンが提供される。このとき，凹部および凸部は，上部発熱板および下部発熱板が接面するときに，互いに咬合するように配列され，各発熱板の両端は直線形に形成されていること特徴とする。
【００１０】
このような構成により，髪をまっすぐに伸ばすために無理に力をかける必要がないため，毛髪が抜けることを防止することができる。さらに，動作を何回も繰り返す必要がないため，熱による髪の傷みを防止でき，手首の疲労を低減することができる。
【００１１】
また，上部発熱板および下部発熱板の表面の凹部と凸部とは，列を成して形成される。このとき，凹部の列と凸部の列とは交互に形成され，凹部は，凸部と凸部との間に位置するように配列されるのが好ましい。
【発明の効果】
【００１２】
以上説明したように本発明によれば，上部発熱板および下部発熱板に形成された凹凸の形状により，使用者が無理な力を必要とせず，髪を自然に伸ばしたりカールを作ることの可能な，ヘアアイロンを提供することができる。
【発明を実施するための最良の形態】
【００１３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１４】
（第１の実施形態）
図１〜５に基づいて，本発明の第１の実施形態にかかるヘアアイロンについて説明する。ここで，図１は，本実施形態にかかるヘアアイロンを示す斜視図である。また，図２は，本実施形態にかかるヘアアイロンの発熱板が広げられた状態を示す側面図である。さらに，図３は，本実施形態にかかるヘアアイロンの発熱板が閉じた状態を示す斜視図である。また，図４は，本実施形態にかかるヘアアイロンの発熱板が閉じた状態を示す側面図である。そして，図５は，本実施形態にかかるヘアアイロンの発熱板が閉じた状態を示す正面図である。
【００１５】
本実施形態にかかるヘアアイロンは，図１〜５に示すように，互いに接触するように構成される上部ハンドグリップ１および下部ハンドグリップ２と，各ハンドグリップ１，２の接触面に具備され，熱を放出する上部発熱板３および下部発熱板４とを含んで形成される。
【００１６】
上部ハンドグリップ１および下部ハンドグリップ２は，一端がヒンジ部５により回動可能に結合され，互いに接触する形に構成される。このような形で構成される上部ハンドグリップ１および下部ハンドグリップ２には，ヒンジ部５から他端方向へ所定距離離れた位置に，弾性支持部６が具備される。
【００１７】
弾性支持部６は，図１および図２に示すように，使用者が上部ハンドグリップ１および下部ハンドグリップ２を押していないときには，上部ハンドグリップ１および下部ハンドグリップ２を常に広げた状態で弾性支持する。したがって，図３〜５に示すように，使用者が上部ハンドグリップ１および下部ハンドグリップ２を閉じるように押し，髪を整えてから，上部ハンドグリップ１および下部ハンドグリップ２を押す力を弱めると，弾性支持部６の復元力により，上部ハンドグリップ１および下部ハンドグリップ２は，図１および図２に示す状態に広がる。
【００１８】
上部ハンドグリップ１および下部ハンドグリップ２の他端部（ヒンジ部５と反対側）内には，図２および図４に点線で示したように，外部からコード（電線）７を介して電源が印加される。この部分には，上部発熱板３および下部発熱板４を加熱するコイル形態の加熱部８，９がそれぞれ内装される。
【００１９】
一方，下部ハンドグリップ２には，加熱部８，９に電源を印加または遮断するための電源スイッチ１０が具備される。また，各発熱板３，４の両端（側面部）は，直線形すなわち平面に形成される。
【００２０】
上部発熱板３および下部発熱板４は，髪が直接接触する部分であり，加熱部８，９の作動により加熱されてから，適切な温度の熱を放出する。
【００２１】
このような上部発熱板３および下部発熱板４は，上部ハンドグリップ１および下部ハンドグリップ２の他端部側（ヒンジ部５と反対側）に設けられる。その表面には，例えば，半球形の凹凸部１１，１２が互いに離隔して配列形成される。
【００２２】
上部発熱板３および下部発熱板４に形成される凹凸部１１，１２は，髪が一定の形に整えられるように，一定の形態に配列される。例えば，図１および図５に図示されるように，凹部１１ａ，１２ａの列と凸部１１ｂ，１２ｂの列とが交互に形成される。このとき，上部発熱板３の凹凸部１１は，下部発熱板４の凹凸部１２と互いに咬合するように配列される。すなわち，図５に示すように，下部発熱板４の凹部１２ａが中間の列に形成され，凸部１２ｂが凹部１２ａの両側の列に形成される。そうすると，上部発熱板３の凸部１１ｂは，中間の列に形成され，凹部１１ａは，凸部１１ｂの両側の列に形成される。
【００２３】
一方，図１に示すように，各発熱板３，４に形成される凹部１１ａ，１２ａは凸部１１ｂ，１２ｂと凸部１１ｂ，１２ｂとの間に位置するように形成される。これにより，髪が直線状に通過せず，波形を成しながら通過することになる。
【００２４】
次に，本実施形態にかかるヘアアイロンの作用について説明する。
【００２５】
まず，使用者がコード７に連結された電源プラグ（図示せず）をコンセントに差し込み，電源スイッチ１０をオンにする。そうすると，加熱部８，９により上部発熱板３および下部発熱板４が適正温度に加熱される。
【００２６】
次いで，上部発熱板３および下部発熱板４が適正温度に加熱されると，上部発熱板３および下部発熱板４の間に髪を挟む。そして，上部ハンドグリップ１および下部ハンドグリップ２を閉じるように押した状態で，毛先まで滑らせながら動かすと，髪をまっすぐに伸ばすことができる。また，上部発熱板３および下部発熱板４の間に髪を挟んで，上部ハンドグリップ１および下部ハンドグリップ２を閉じるように押した状態で軽く滑らせ，その状態で一定時間維持することにより，髪にカールを作ることができる。
【００２７】
このとき，上部発熱板３および下部発熱板４の表面に形成されている，例えば半球形の凹凸部１１，１２，すなわち，凹部１１ａ，１２ａと凸部１１ｂ，１２ｂとの間に髪が波型を成しながら通過するので，髪が自然にまっすぐに伸びるようになる。そして，髪が波型を成した状態で一定時間維持されるので，自然にカールが作られる。
【００２８】
したがって，上部ハンドグリップ１および下部ハンドグリップ２に大きい力をかけることなく髪を整えることができ，毛髪が抜けることを防止できる。さらに，髪に過剰な熱を与えないため，髪の傷みを低減させることができる。
【００２９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３０】
本発明は，ヘアアイロンに適用可能であり，特に，髪に触れる発熱板の表面に複数の凹凸の形状が形成される電気ヘアアイロンに適用可能である。
【図面の簡単な説明】
【００３１】
【図１】本発明の第１の実施形態にかかるヘアアイロンを示す斜視図である。
【図２】本実施形態にかかるヘアアイロンの発熱板が開いた状態を示す側面図である。
【図３】本実施形態にかかるヘアアイロンの発熱板が閉じた状態を示す斜視図である。
【図４】本実施形態にかかるヘアアイロンの発熱板が閉じた状態を示す側面図である。
【図５】本実施形態にかかるヘアアイロンの発熱板が閉じた状態を示す正面図である。
【符号の説明】
【００３２】
１          上部ハンドグリップ
２          下部ハンドグリップ
３          上部発熱板
４          下部発熱板
５          ヒンジ部
６          弾性支持部
７          コード（電線）
８，９      加熱部
１０        電源スイッチ
１１，１２  凹凸部
【図１】
2006006909.tif 000003
【図２】
2006006909.tif 000004
【図３】
2006006909.tif 000005
【図４】
2006006909.tif 000006
【図５】
2006006909.tif 000007